(57)【要約】【課題】建築現場でのガイドレールの連結作業の邪魔となることなく、エレベータ装置を建築現場に効率良く搬送することのできるエレベータ装置の搬送方法を提供する。【解決手段】複数の建物ユニット（１１、１２、１３）が上下に組付けられたユニット建物１０に設けられるエレベータ装置の搬送方法である。工場において、建物ユニットの昇降路２７にガイドレール５１およびガイドレール５１に沿って移動可能な支持枠５２を取り付ける昇降取付工程と、工場において、積載空間４４を形成するカゴユニット４１を構成する構成部材７１を梱包状態で支持枠５２に固定する固定工程と、昇降路２７において支持枠５２に構成部材７１が固定された建物ユニット（１２）を工場から建築現場に搬送する搬送工程と、を行う。【選択図】図２
2020023389.tif 000002
【特許請求の範囲】
【請求項１】
複数の建物ユニットが上下に組付けられたユニット建物に設けられるエレベータ装置の搬送方法であって、
工場において、前記建物ユニットの昇降路にガイドレールおよび前記ガイドレールに沿って移動可能な支持枠を取り付ける昇降取付工程と、
前記工場において、積載空間を形成するカゴユニットを構成する構成部材を梱包状態で前記支持枠に固定する固定工程と、
前記昇降路において前記支持枠に前記構成部材が固定された前記建物ユニットを前記工場から建築現場に搬送する搬送工程と、を行うことを特徴とするエレベータ装置の搬送方法。
【請求項２】
前記搬送工程を行う前に、前記工場において、前記建物ユニットにおける前記昇降路の上側の上側開口に対して架け渡して吹抜足場を設置する足場設置工程を行うことを特徴とする請求項１に記載のエレベータ装置の搬送方法。
【請求項３】
前記支持枠は、前記ガイドレールに沿って移動可能とされた縦枠部と、前記縦枠部の下端に設けられて前記カゴユニットが載せられる設置枠部と、を有し、
前記固定工程では、梱包状態の前記構成部材を、上面に板部材が取り付けられて隙間が塞がれた前記設置枠部の上に載せつつ前記縦枠部に立て掛けた状態で前記縦枠部に固定することを特徴とする請求項２に記載のエレベータ装置の搬送方法。
【請求項４】
前記建築現場において、請求項３に記載のエレベータ装置の搬送方法により搬送されて上下に組付けられた複数の前記建物ユニットにおける上下に連続された前記昇降路のそれぞれの前記ガイドレールを互いに連結する連結工程と、
前記支持枠に固定された梱包状態の前記構成部材から前記カゴユニットを組み立てる組立工程と、
前記カゴユニットを前記支持枠に載せて取り付けるカゴ取付工程と、を行うことを特徴とするエレベータ装置の設置方法。
【請求項５】
前記連結工程を行った後に、前記建築現場において、前記吹抜足場を前記上側開口から取り外す足場取外工程を行うことを特徴とする請求項４に記載のエレベータ装置の設置方法。
【請求項６】
前記連結工程を行った後に、前記建築現場において、前記板部材を前記設置枠部のから取り外す板部材取外工程を行うことを特徴とする請求項４または請求項５に記載のエレベータ装置の設置方法。
【発明の詳細な説明】
【技術分野】
【０００１】
本開示は、建物ユニットに設けられるエレベータ装置の搬送方法、およびそれにより搬送されたエレベータ装置の設置方法に関する。
【背景技術】
【０００２】
建物は、工場で形成された複数の建物ユニットが上下に組付けられたユニット建物として形成されるものがある。ユニット建物では、エレベータ装置が設けられる場合がある。そのエレベータ装置は、工場において、各建物ユニットに形成された昇降路に、一対のガイドレール、およびそれに沿って移動可能な支持枠が取り付けられ、カゴユニットが組み立てられ、そのカゴユニットが支持枠に仮固定される。そして、エレベータ装置は、建物ユニットとともに工場から建築現場に搬送されることが考えられている（例えば、特許文献１参照）。このエレベータ装置は、建築現場において、各建物ユニットが上下に組付けられた後に、上下に連続する各昇降路の一対のガイドレールが各々連結されるとともに支持枠にカゴユニットが取り付けられる。これにより、エレベータ装置は、カゴユニットを昇降路内で適宜昇降させることが可能とされる。
【先行技術文献】
【特許文献】
【０００３】
【特許文献１】特開平１１−１９９１５６号公報
【発明の概要】
【発明が解決しようとする課題】
【０００４】
ところで、支持枠に仮固定されたカゴユニットは、上下に連続する各昇降路間でそれぞれの一対のガイドレールを連結する作業の邪魔となってしまう。このため、カゴユニットは、建築現場で解体されて、一対のガイドレールの連結後に再び建築現場で組み立てられることがある。
【０００５】
本開示は、上記の事情に鑑みて為されたもので、建築現場でのガイドレールの連結作業の邪魔となることなく、エレベータ装置を建築現場に効率良く搬送することのできるエレベータ装置の搬送方法を提供することを目的とする。
【課題を解決するための手段】
【０００６】
上記した目的を達成するために、本開示のエレベータ装置の搬送方法は、複数の建物ユニットが上下に組付けられたユニット建物に設けられるエレベータ装置の搬送方法であって、  工場において、前記建物ユニットの昇降路にガイドレールおよび前記ガイドレールに沿って移動可能な支持枠を取り付ける昇降取付工程と、前記工場において、積載空間を形成するカゴユニットを構成する構成部材を梱包状態で前記支持枠に固定する固定工程と、前記昇降路において前記支持枠に前記構成部材が固定された前記建物ユニットを前記工場から建築現場に搬送する搬送工程と、を行うことを特徴とする。
【０００７】
また、前記搬送工程を行う前に、前記工場において、前記建物ユニットにおける前記昇降路の上側の上側開口に対して架け渡して吹抜足場を設置する足場設置工程を行うこととすることができる。さらに、前記支持枠は、前記ガイドレールに沿って移動可能とされた縦枠部と、前記縦枠部の下端に設けられて前記カゴユニットが載せられる設置枠部と、を有し、前記固定工程では、梱包状態の前記構成部材を、上面に板部材が取り付けられて隙間が塞がれた前記設置枠部の上に載せつつ前記縦枠部に立て掛けた状態で前記縦枠部に固定することとすることができる。
【０００８】
本開示のエレベータ装置の設置方法は、前記建築現場において、上記のエレベータ装置の搬送方法により搬送されて上下に組付けられた複数の前記建物ユニットにおける上下に連続された前記昇降路のそれぞれの前記ガイドレールを互いに連結する連結工程と、前記支持枠に固定された梱包状態の前記構成部材から前記カゴユニットを組み立てる組立工程と、前記カゴユニットを前記支持枠に載せて取り付けるカゴ取付工程と、を行うこととすることができる。また、前記連結工程を行った後に、前記建築現場において、前記吹抜足場を前記上側開口から取り外す足場取外工程を行うこととすることができる。さらに、前記連結工程を行った後に、前記建築現場において、前記板部材を前記設置枠部のから取り外す板部材取外工程を行うこととすることができる。
【発明の効果】
【０００９】
このように構成された本開示のエレベータ装置の搬送方法は、建築現場でのガイドレールの連結作業の邪魔となることなく、エレベータ装置を建築現場に効率良く搬送することができる。
【００１０】
ここで、前記搬送工程を行う前に、前記工場において、前記建物ユニットにおける前記昇降路の上側の上側開口に対して架け渡して吹抜足場を設置する足場設置工程を行うこととすれば、搬送時および建築現場での作業時に、建物ユニットの昇降路の上側開口から建物ユニット（その昇降路）内へと作業者等が落下することを防止できる。また、前記支持枠は、前記ガイドレールに沿って移動可能とされた縦枠部と、前記縦枠部の下端に設けられて前記カゴユニットが載せられる設置枠部と、を有し、前記固定工程では、梱包状態の前記構成部材を、上面に板部材が取り付けられて隙間が塞がれた前記設置枠部の上に載せつつ前記縦枠部に立て掛けた状態で前記縦枠部に固定することとすれば、搬送時および建築現場での作業時に、建物ユニットの昇降路に進入することは可能としつつ、昇降路の下側開口から下方の建物ユニット（その昇降路）内へと落下することを防止できる。
【００１１】
加えて、前記建築現場において、上記のエレベータ装置の搬送方法により搬送されて上下に組付けられた複数の前記建物ユニットにおける上下に連続された前記昇降路のそれぞれの前記ガイドレールを互いに連結する連結工程と、前記支持枠に固定された梱包状態の前記構成部材から前記カゴユニットを組み立てる組立工程と、前記カゴユニットを前記支持枠に載せて取り付けるカゴ取付工程と、を行うエレベータ装置の設置方法では、搬送された建物ユニットを組付けると、カゴユニットの解体作業を行わなくても、各昇降路のガイドレールを円滑に互いに連結することができる。また、前記連結工程を行った後に、前記建築現場において、前記吹抜足場を前記上側開口から取り外す足場取外工程を行うこととすれば、組み立てられたカゴユニットが邪魔する虞のある連結工程が終了しているので、足場取外工程を行うことで、カゴユニットを支持枠に取り付けるカゴ取付工程に移行させることができる。さらに、前記連結工程を行った後に、前記建築現場において、前記板部材を前記設置枠部から取り外す板部材取外工程を行うこととすれば、組み立てられたカゴユニットが邪魔する虞のある連結工程が終了しているので、板部材取外工程を行うことで、カゴユニットを支持枠に取り付けるカゴ取付工程に移行させることができる。
【図面の簡単な説明】
【００１２】
【図１】本開示に係るエレベータ装置の搬送方法により搬送されたエレベータ装置が本開示に係るエレベータ装置の設置方法により設けられるユニット建物の一部の構成を示す説明図である。
【図２】各ユニット建物の構成を示す説明図である。
【図３】２階建物ユニットの昇降路の上側開口に吹抜足場が設置された様子を示す上方からの平面図である。
【図４】設置金具が天井大梁に固定された様子を示す説明図である。
【図５】２階建物ユニットの昇降路にガイドレールおよび支持枠が取り付けられた様子を示す説明図である。
【図６】支持枠の設置枠部の上面に板部材が取り付けられて隙間が塞がれた様子を示す説明図である。
【図７】２階建物ユニットの昇降路の下側開口に板部材が取り付けられた設置枠部が位置された様子を示す上方からの平面図である。
【図８】２階建物ユニットの昇降路の支持枠にカゴユニットの梱包状態の構成部材を固定した様子を示す説明図である。
【図９】工場から建築現場に搬送される２階建物ユニットの様子を示す説明図である。
【図１０】エレベータ装置の搬送方法により搬送された各ユニット建物が組付けられた様子を示す説明図である。
【図１１】油圧ジャッキおよび油圧装置が設けられるとともに、上下に連続する昇降路のそれぞれのガイドレールが互いに連結された様子を示す説明図である。
【図１２】吹抜足場および板部材が取り外される様子を示す説明図である。
【図１３】組み立てられたカゴユニットが支持枠に載せて取り付けられた様子を示す説明図である。
【発明を実施するための形態】
【００１３】
以下に、本開示に係るエレベータ装置の搬送方法およびエレベータ装置の設置方法の一例としての実施例１のエレベータ装置の搬送方法およびエレベータ装置の設置方法について、図面を参照しつつ説明する。
【実施例１】
【００１４】
本開示の実施例１のエレベータ装置の搬送方法およびエレベータ装置の設置方法について、図１から図１３を用いて説明する。なお、図１および図９から図１３では、構成および状態の把握を容易とするために、図１の３階建物ユニット１３および図１３の２階建物ユニット１２を除く他の各建物ユニット（１１、１２、１３）における扉ユニット４３の図示を省略している。また、図１および図１０から図１３では、構成および状態の把握を容易とするために、エレベータ装置４０の各部を簡略化して示している。さらに、図２および図９は、建物ユニットを基本構成のみで示しており、工場で形成された状態や搬送される状態とは必ずしも一致しない。加えて、図５および図７から図１２では、板部材５９の把握を容易とするために、板部材５９にドットを付して示している。その図７では、設置枠部５７の上に載せられた梱包状態の構成部材７１をハッチを付して示している。
【００１５】
エレベータ装置の搬送方法は、複数の建物ユニットが上下に組付けられて形成されるユニット建物に設置されるエレベータ装置を工場から建築現場に搬送するもので、実施例１では一例としてのユニット建物１０に設置されるエレベータ装置４０を搬送するものとしている。エレベータ装置の設置方法は、エレベータ装置の搬送方法により搬送されたエレベータ装置をユニット建物に設置するもので、実施例１では一例としてのユニット建物１０にエレベータ装置４０を設置するものとしている。
【００１６】
ユニット建物１０は、その一部が、図１に示すように、基礎の上に１階部分を形成する１階建物ユニット１１が設けられ、その上に２階部分を形成する２階建物ユニット１２が組付けられ、その上に３階部分を形成する３階建物ユニット１３が組付けられている。各建物ユニット（１１、１２、１３）は、基本的な構成が略等しくされており、工場で予め形成されて箱状とされている。なお、実施例１のユニット建物１０は、１階建物ユニット１１、２階建物ユニット１２および３階建物ユニット１３により３階建てとされているが、その階数（組付ける数）は適宜設定すればよく、実施例１の構成に限定されない。
【００１７】
各建物ユニット（１１、１２、１３）は、図２に示すように、各居室空間の床面を形成する床フレーム１４と、各居室空間の天井面を形成する屋根フレーム１５と、が鉛直方向に伸びる複数の柱部材１６で連結されて構成されている。床フレーム１４は、長方形状に枠組みされた床大梁２１の内側に複数の床小梁２２が架け渡されて構成されている。床フレーム１４では、床大梁２１や床小梁２２の一部が矩形状に枠組みされており、矩形状の下側開口２３が形成されている。屋根フレーム１５は、長方形状に枠組みされた天井大梁２４の内側に複数の屋根補助梁２５が架け渡されて構成されている。屋根フレーム１５では、天井大梁２４や屋根補助梁２５の一部が矩形状に枠組みされており、矩形状の上側開口２６を形成している。各建物ユニット（１１、１２、１３）では、床フレーム１４の下側開口２３と屋根フレーム１５の上側開口２６との間で鉛直方向に伸びる空間が昇降路２７とされる。
【００１８】
ユニット建物１０では、図１に示すように、それぞれ床フレーム１４の下側開口２３と屋根フレーム１５の上側開口２６とを鉛直方向で並ぶように１階建物ユニット１１上に２階建物ユニット１２および３階建物ユニット１３が組付けられて、それぞれの昇降路２７が鉛直方向で連続される。ユニット建物１０では、この昇降路２７にエレベータ装置４０が設けられる。ここで、ユニット建物１０において最上階となる３階建物ユニット１３の昇降路２７の上側開口２６には、天井材が取り付けられ、上下に連続する昇降路２７の最上部が遮蔽されている。各建物ユニット（１１、１２、１３）では、昇降路２７に隣接する空間がエレベータホール１７とされ、昇降路２７およびエレベータホール１７以外の位置に設けられる空間に居室や階段やバスユニット等が適宜設置される。
【００１９】
ユニット建物１０では、図３に示すように、工場において、後述するエレベータ装置の搬送方法の足場設置工程により２階建物ユニット１２の昇降路２７の上側開口２６に吹抜足場３１が設置される。吹抜足場３１は、実施例１では、建築現場における他の場所でも落下の防止に使用されるものを用いており、平行に伸びる一対の棒状部３２と、両棒状部３２の中間位置に設けられ複数の穴を有する板状の穴開板状部３３と、で構成されている。吹抜足場３１は、各棒状部３２の長さが調整可能とされるとともに、ロックを掛けることで各棒状部３２を調整した長さに固定することができる。なお、吹抜足場３１は、上側開口２６に設置することで作業者等の落下を防止できるものであればよく、実施例１の構成に限定されない。
【００２０】
実施例１の吹抜足場３１は、設置金具３４を介して上側開口２６を構成する天井大梁２４および屋根補助梁２５に取り付けられる。設置金具３４は、図４に示すように、板状部材が断面Ｌ字形状に屈曲されて構成され、鉛直方向に伸びて長尺とされた梁固定板部３５と、その下端に接続されて水平方向に伸びて長尺とされた装置固定板部３６と、を有する。梁固定板部３５は、対応する梁（天井大梁２４、屋根補助梁２５）の側面に面が宛がわれた状態で固定される箇所であり、その側面に溶接またはボルト締めにより固定される。装置固定板部３６は、エレベータ装置４０の対応する部材や吹抜足場３１が固定される箇所であり、複数のネジ穴３７が設けられ、そこに通された締結部材により締結されることで対応する部材が固定される。設置金具３４では、ネジ穴３７が、図４に示すように設置金具３４の長尺方向と直交する方向に長尺なものと、図３を正面視して上側の天井大梁２４に取り付けられたもののように設置金具３４の長尺方向に長尺なものと、の２種類が用いられる。設置金具３４では、梁固定板部３５と装置固定板部３６とが補強リブ３８により連結されることで、梁固定板部３５と装置固定板部３６との位置関係が維持されるように補強されている。
【００２１】
設置金具３４は、図３に示すように、１つが天井大梁２４の側面に固定され、もう１つが屋根補助梁２５の側面に固定されて、昇降路２７内で対向されて設けられている。吹抜足場３１は、長さが調整されてロックされた各棒状部３２の両端が両設置金具３４の装置固定板部３６に載せられた状態で、ネジ穴３７に通された結束バンド３９により対応する装置固定板部３６に固定される。このとき、吹抜足場３１は、後述する一対のガイドレール５１および支持枠５２と干渉しない位置とされつつ、穴開板状部３３が上側開口２６の略真ん中に位置されて、天井大梁２４と屋根補助梁２５との間で上側開口２６に対して架け渡される。この状態において、上側開口２６は、略真ん中に穴開板状部３３が位置されつつ両棒状部３２が架け渡されて吹抜足場３１が設置されているので、作業者等の落下が防止されている。
【００２２】
ここで、吹抜足場３１の設置に用いられる両設置金具３４は、屋根補助梁２５の側面に固定されたものがエレベータ装置４０の後述する扉ユニット４３（図１等参照）の設置のためにも用いられ、天井大梁２４の側面に固定されたものは他の用途には利用されない。加えて、上側開口２６では、図４を正面視して左側の屋根補助梁２５の側面にも設置金具３４が固定されており、エレベータ装置４０の後述する一対のガイドレール５１の取り付けに用いられている（図５等参照）。このように、エレベータ装置４０は、設置金具３４を様々な用途および場所に用いているので、固定等の作業を容易にできるとともに部品のコストを低減できる。なお、吹抜足場３１は、上側開口２６からの作業者等の落下を防止するものであれば、上側開口２６との大きさ関係および位置関係に関しては適宜設定すればよく、上側開口２６への固定の方法に関しても適宜選択すればよく、実施例１の構成に限定されない。
【００２３】
このユニット建物１０に設けられるエレベータ装置４０は、図１に示すように、カゴユニット４１と昇降ユニット４２と扉ユニット４３とを備える。カゴユニット４１は、人が乗り込んだり荷物等が載せられたりする積載空間４４を形成するもので、カゴ部４５に開閉可能なカゴ側扉部４６が設けられて構成され、積載空間４４への人の乗り降りや荷物の積み卸しが可能とされている。カゴユニット４１は、昇降ユニット４２により昇降される。
【００２４】
昇降ユニット４２は、昇降路２７内でカゴユニット４１を昇降させるもので、昇降路２７に設けられる。昇降ユニット４２は、一対のガイドレール５１と、支持枠５２と、油圧ジャッキ５３と、油圧装置５４と、を有する。
【００２５】
一対のガイドレール５１は、支持枠５２の移動を鉛直方向に案内するものであり、所定の間隔を置いて対向されて各建物ユニット（１１、１２、１３）の昇降路２７に設けられる。一対のガイドレール５１は、図５に示すように、上端および下端に設けられたレールブラケット５５が昇降路２７の下側開口２３の床大梁２１および上側開口２６の天井大梁２４に設置金具３４を介して固定されている。一対のガイドレール５１は、２つの建物ユニット（１１、１２）が組付けられると、１階建物ユニット１１に設けられた両上端部と２階建物ユニット１２に設けられた両下端部とが付き合わされた状態で連結部材により連結される。また、一対のガイドレール５１は、２つの建物ユニット（１２、１３）が組付けられると、２階建物ユニット１２に設けられた両上端部と３階建物ユニット１３に設けられた両下端部とが付き合わされた状態で連結部材により連結される。これにより、一対のガイドレール５１は、１階から３階までで上下に連続された３つの昇降路２７に跨って設けられる（図１、図１１等参照）。
【００２６】
支持枠５２は、一対のガイドレール５１により移動が鉛直方向に案内される縦枠部５６と、その縦枠部５６の下端に固定されて設けられてカゴユニット４１が載せられる設置枠部５７と、を有する。縦枠部５６は、枠材が矩形状に組み合わされて形成され、一対のガイドレール５１の間に位置させることができる大きさとされている。縦枠部５６では、両側の上端部と下端部とにガイド部材５８（図５では手前側の上端部の１つのみ図示）が設けられている。各ガイド部材５８は、ガイドロールまたはガイドシューとして構成されており、ガイドレール５１に沿って移動することが可能とされている。これにより、縦枠部５６は、一対のガイドレール５１により鉛直方向に移動可能とされている。
【００２７】
設置枠部５７は、図６に示すように、矩形状に枠組みされた外枠の内側に複数の補強材が架け渡されて構成されており、全体として水平方向に沿って伸びる板状とされている。このため、設置枠部５７は、内側に複数の隙間が設けられている。そして、設置枠部５７は、実施例１では、上面５７ａに板部材５９が取り付けられることで、各隙間が塞がれている。実施例１の板部材５９は、合板が用いられ、３つのボルトにより設置枠部５７に取り付けられており、設置枠部５７から取り外すことが容易とされている。設置枠部５７は、固定された縦枠部５６とともに鉛直方向に移動可能とされている（図５参照）。設置枠部５７には、カゴユニット４１が載せられた状態で固定される（図１、図１３参照）。このため、支持枠５２は、固定されたカゴユニット４１を一対のガイドレール５１に沿って移動可能とする。
【００２８】
油圧ジャッキ５３は、図１に示すように、カゴユニット４１を支持する支持枠５２を上下駆動するための駆動手段であり、複数の棒状部が外側から内側へと入れ子式に組み合わされて収納して構成されて伸縮可能とされている。油圧ジャッキ５３は、１階建物ユニット１１の昇降路２７内に設けられたエレベータ装置用基礎に固定されたスタンド６１に取り付けられている。油圧ジャッキ５３は、先端部が支持枠５２に固定されており、駆動されると支持枠５２を上下に移動させることにより、カゴユニット４１を上下に移動させる。
【００２９】
油圧装置５４は、油圧ジャッキ５３に油圧を導入することで、油圧ジャッキ５３を適宜伸縮させる。このため、昇降ユニット４２は、油圧装置５４からの油圧が油圧ジャッキ５３に導入されることで、支持枠５２を介して、カゴユニット４１を昇降路２７内で適宜昇降させる。
【００３０】
扉ユニット４３は、各建物ユニット（１１、１２、１３）側に設けられる扉を構成するもので、昇降路２７とエレベータホール１７との間に設けられる。扉ユニット４３は、昇降路２７とエレベータホール１７とを区画箇所となる下側開口２３の床小梁２２および上側開口２６の屋根補助梁２５に設置金具３４（図３、図７参照）を介して固定されて設けられる。扉ユニット４３は、扉枠部６２に開閉可能な建物側扉部６３が設けられて構成されており、自らが設けられた階数にカゴユニット４１が停まると、そのカゴ側扉部４６と連動して建物側扉部６３が開閉される。これにより、扉ユニット４３は、エレベータホール１７（各建物ユニット（１１、１２、１３）の空間）から昇降路２７への進入を防止しつつ、カゴユニット４１の積載空間４４への出入りを可能とする。
【００３１】
次に、エレベータ装置の搬送方法について、図１から図９を用いて説明する。実施例１のエレベータ装置の搬送方法は、基本的に、各建物ユニット（１１、１２、１３）とともにエレベータ装置４０を工場から建築現場に搬送する。これに先立って、工場において、各建物ユニット（１１、１２、１３）が形成される。
【００３２】
先ず、工場において、各建物ユニット（１１、１２、１３）の昇降路２７に、一対のガイドレール５１および支持枠５２を取り付ける昇降取付工程を行う。昇降取付工程は、各建物ユニット（１１、１２、１３）において、所定の間隔を置いて対向させつつ一対のガイドレール５１を各昇降路２７に設ける（図５参照）。また、昇降取付工程は、図５に示すように、２階建物ユニット１２の昇降路２７において、一対のガイドレール５１に沿って移動可能に縦枠部５６を取り付けるとともに、上面５７ａに板部材５９が取り付けられた設置枠部５７を縦枠部５６の下端に固定する。これにより、２階建物ユニット１２の昇降路２７では、一対のガイドレール５１に沿って移動可能に支持枠５２が設けられる。このとき、２階建物ユニット１２の昇降路２７では、図７に示すように、下側開口２３の略真ん中に設置枠部５７が位置しているとともに、その設置枠部５７の各隙間が板部材５９により塞がれており、下側開口２３からの作業者等の落下を防止できる。実施例１の設置枠部５７は、板部材５９が取り付けられた状態で納入されるものとされており、納入された時点で設置枠部５７の各隙間が塞がれている。なお、設置枠部５７は、板部材５９が取り付けられていない状態で納入されてもよく、実施例１の構成に限定されない。この場合には、少なくとも後述する固定工程よりも前に板部材５９を取り付ければよく、好適には昇降取付工程よりも前に板部材５９を取り付けることが望ましい。
【００３３】
次に、工場において、カゴユニット４１を構成する構成部材７１を梱包状態で支持枠５２に固定する固定工程を行う。固定工程は、図８に示すように、２階建物ユニット１２の昇降路２７において、梱包状態のカゴユニット４１の構成部材７１を支持枠５２に固定する。実施例１の構成部材７１は、複数の梱包材７２に分けられて梱包されるとともに、その複数の梱包材７２が複数の納入帯部材７３で結束された状態で納入される。実施例１の固定工程は、構成部材７１を、複数の梱包材７２が結束された状態のままで、板部材５９が取り付けられた設置枠部５７の上に載せつつ縦枠部５６に立て掛ける。そして、実施例１の固定工程は、縦枠部５６が間に位置する一対のガイドレール５１とともに構成部材７１（結束状態の複数の梱包材７２）に複数の工場帯部材７４を巻き掛けることで、結束状態の複数の梱包材７２すなわち梱包状態の構成部材７１を支持枠５２に固定する。なお、固定工程は、各工場帯部材７４を巻き掛ける際、結束状態の複数の梱包材７２と、支持枠５２や各工場帯部材７４と、の間に段ボール等の吸収材を適宜介在させることで、構成部材７１が破損することを防止している。これにより、梱包状態の構成部材７１は、一対のガイドレール５１および支持枠５２に固定されるとともに、一対のガイドレール５１に対する移動も防止される。
【００３４】
次に、工場において、昇降路２７の上側開口２６に対して架け渡して吹抜足場３１を設置する足場設置工程を行う。足場設置工程は、図９に示すように、梱包状態の構成部材７１を支持枠５２に固定した２階建物ユニット１２において、２階建物ユニット１２の上方から上側開口２６を経て２階建物ユニット１２内（その昇降路２７）に作業者等が落下することを防止するために、昇降路２７の上側開口２６に吹抜足場３１を設置する。足場設置工程は、図３に示すように、先ず、昇降路２７内で対向するように、上側開口２６における天井大梁２４の側面と屋根補助梁２５の側面とに設置金具３４を固定する。その後、足場設置工程は、吹抜足場３１の両棒状部３２の長さを調整し、その両端を両設置金具３４の装置固定板部３６に載せ、その両棒状部３２をネジ穴３７に通した結束バンド３９により装置固定板部３６に固定する。この足場設置工程により、上側開口２６は、一対のガイドレール５１および支持枠５２と干渉しない位置とされるとともに、略真ん中に穴開板状部３３が位置されつつ両棒状部３２が架け渡されて吹抜足場３１が設置されているので、作業者等の落下が防止される（図３、図９参照）。
【００３５】
次に、取り付けられたエレベータ装置４０とともに各建物ユニット（１１、１２、１３）を工場から建築現場に搬送する搬送工程を行う。搬送工程は、昇降取付工程により昇降路２７に一対のガイドレール５１が取り付けられた１階建物ユニット１１および３階建物ユニット１３を工場から建築現場に搬送する。また、搬送工程は、昇降取付工程により昇降路２７に一対のガイドレール５１および支持枠５２が取り付けられるとともに、その支持枠５２に梱包状態の構成部材７１が固定された２階建物ユニット１２を工場から建築現場に搬送する（図９参照）。これらの搬送の手段に関しては、従来と同様とする。これにより、エレベータ装置４０は、一対のガイドレール５１および支持枠５２が取り付けられた状態で、かつ他の部品が梱包状態の構成部材７１として、各建物ユニット（１１、１２、１３）とともに建築現場に搬送される。
【００３６】
次に、エレベータ装置の設置方法について、図１０から図１３を用いて説明する。実施例１のエレベータ装置の設置方法は、上記したエレベータ装置の搬送方法により建築現場に搬送されたエレベータ装置４０を、一緒に搬送された各建物ユニット（１１、１２、１３）に設置するものである。
【００３７】
これに先立って、図１０に示すように、建築現場において、各建物ユニット（１１、１２、１３）が組付けられてユニット建物１０が形成される（建物組付工程）。ユニット建物１０は、基礎の上に１階建物ユニット１１が設けられ、その上に２階建物ユニット１２が組付けられ、その上に３階建物ユニット１３が組付けられる。このとき、１階建物ユニット１１の昇降路２７の上側開口２６と２階建物ユニット１２の昇降路２７の下側開口２３とが、かつ２階建物ユニット１２の昇降路２７の上側開口２６と３階建物ユニット１３の昇降路２７の下側開口２３とが鉛直方向で並ぶものとされて、各昇降路２７が鉛直方向で連続される。その各昇降路２７では、一対のガイドレール５１が取り付けられているとともに、２階建物ユニット１２の昇降路２７では、一対のガイドレール５１に支持枠５２および梱包状態の構成部材７１が取り付けられている。なお、実施例１では、３つの建物ユニット（１１、１２、１３）を一度に組付けるものとしているが、２つの建物ユニット（１１、１２）を組付けた後にそれらの間で後述する連結工程を行い、その後に２つの建物ユニット（１２、１３）を組付けた後にそれらの間で後述する連結工程を行うものとしてもよい。
【００３８】
この各建物ユニット（１１、１２、１３）が組付けられた状態では、２階建物ユニット１２の昇降路２７の上側開口２６に対して架け渡して吹抜足場３１が設置されているので、３階建物ユニット１３の昇降路２７の下側開口２３から２階建物ユニット１２（その昇降路２７）内に落下することが防止されている。このことは、２階建物ユニット１２の上に３階建物ユニット１３が組付けられる前の２階建物ユニット１２の上面においても同様である。また、この組付けられた状態では、２階建物ユニット１２の昇降路２７の下側開口２３に各隙間が板部材５９により塞がれた設置枠部５７が位置されているので、２階建物ユニット１２の昇降路２７の下側開口２３から１階建物ユニット１１（その昇降路２７）内に落下することが防止されている。これにより、各建物ユニット（１１、１２、１３）では、各々の内部での作業を安全なものにできる。また、エレベータ装置の搬送方法は、三階建てのユニット建物１０において、中間に位置する２階建物ユニット１２の昇降路２７の下側開口２３および上側開口２６からの落下を防止しているので、他の建物ユニット（１１、１３）の昇降路２７の上下開口（２３、２６）には何も設けなくても、各昇降路２７の上下開口（２３、２６）からの落下を防止できる。
【００３９】
実施例１では、各建物ユニット（１１、１２、１３）が組付けられた後、建築現場において、工場帯部材７４を解くことで支持枠５２に固定された梱包状態の構成部材７１を取り外す構成部材取外工程を行う。この梱包状態の構成部材７１は、後述する組立工程に備えて、２階建物ユニット１２において他の作業の邪魔とならない場所に置くことが望ましい。なお、構成部材取外工程は、支持枠５２に固定された梱包状態の構成部材７１が後述する連結工程や足場取外工程や板部材取外工程の邪魔とならない場合には、後述する組立工程よりも前に行うものであればよく、実施例１の構成に限定されない。
【００４０】
次に、建築現場において、油圧ジャッキ５３および油圧装置５４を設置する油圧設置工程を行う。油圧設置工程は、図１１に示すように、支持枠５２すなわちそこに載せられるカゴユニット４１を昇降路２７内で適宜昇降させるための油圧ジャッキ５３および油圧装置５４を設置する。油圧設置工程は、１階建物ユニット１１の昇降路２７内に設けられたエレベータ装置用基礎にスタンド６１を固定し、そのスタンド６１に油圧ジャッキ５３を取り付け、その油圧ジャッキ５３に油圧を導入可能に同じ昇降路２７内に油圧装置５４を設ける。そして、油圧設置工程は、油圧ジャッキ５３の先端部を支持枠５２に固定する。
【００４１】
次に、建築現場において、上下に連続された各昇降路２７の一対のガイドレール５１を互いに連結する連結工程を行う。連結工程は、１階建物ユニット１１の一対のガイドレール５１の両上端部と２階建物ユニット１２の一対のガイドレール５１の両下端部とを付き合わせた状態で、かつ２階建物ユニット１２の一対のガイドレール５１の両上端部と３階建物ユニット１３の一対のガイドレール５１の両下端部とを付き合わせた状態で、それぞれ連結部材により連結する。この連結工程により、一対のガイドレール５１は、１階から３階までで上下に連続された３つの昇降路２７に跨って設けられる。このとき、エレベータ装置の設置方法では、２階建物ユニット１２の昇降路２７に組み立てられたカゴユニット４１が設けられていないので、連結工程を円滑に行うことができる。
【００４２】
次に、建築現場において、図１２に示すように、吹抜足場３１を２階建物ユニット１２の昇降路２７の上側開口２６から取り外す足場取外工程を行う。足場取外工程は、２階建物ユニット１２の昇降路２７内から、各結束バンド３９（図３参照）を切断して各設置金具３４に載せられた吹抜足場３１を取り外す。ここで、吹抜足場３１は、上側開口２６を構成する天井大梁２４や屋根補助梁２５の昇降路２７側の側面に取り付けられた設置金具３４の装置固定板部３６に載せられて固定されており、昇降路２７内に設けられている。このため、吹抜足場３１は、２階建物ユニット１２の上に３階建物ユニット１３が組付けられた状態であっても、２階建物ユニット１２の昇降路２７の上側開口２６から取り外し作業を行うことができる。このとき、吹抜足場３１は、ロックを解除して各棒状部３２の長さを適宜調整することで、上側開口２６から取り外し作業を容易にできる。また、実施例１の足場取外工程は、後述する板部材取外工程が行われる前であり、２階建物ユニット１２の昇降路２７において下側開口２３に位置する設置枠部５７の隙間が板部材５９により塞がれているので、安定して行うことができる。
【００４３】
次に、建築現場において、２階建物ユニット１２の昇降路２７の下側開口２３に位置する設置枠部５７から板部材５９を取り外す板部材取外工程を行う。板部材取外工程は、２階建物ユニット１２の昇降路２７内から、３つのボルトを緩めて上面５７ａの板部材５９を設置枠部５７から取り外す。このとき、板部材５９は、２階建物ユニット１２の昇降路２７内に位置する設置枠部５７に取り付けられているので、２階建物ユニット１２が１階建物ユニット１１の上に組付けられた状態であっても、２階建物ユニット１２の昇降路２７から取り外し作業を行うことができる。なお、足場取外工程と板部材取外工程とは、順序を逆にしてもよく、実施例１の構成に限定されない。
【００４４】
次に、建築現場において、図１３に示すように、梱包状態の構成部材７１からカゴユニット４１を組み立てる組立工程を行う。組立工程は、エレベータ装置の搬送方法により２階建物ユニット１２とともに建築現場に搬送されて、構成部材取外工程により取り外された構成部材７１（各梱包材７２）の梱包を解き、構成部材７１を用いてカゴユニット４１すなわちカゴ部４５およびカゴ側扉部４６を組み立てる。
【００４５】
次に、建築現場において、カゴユニット４１を支持枠５２に取り付けるカゴ取付工程を行う。カゴ取付工程は、組立工程で組み立てたカゴ部４５を設置枠部５７に載せた状態で支持枠５２に取り付け、そのカゴ部４５にカゴ側扉部４６を取り付ける。その後、カゴ取付工程は、カゴ部４５に操作パネル等の各部品を設けるとともに、それらに各種のケーブルを接続する。
【００４６】
この後、各建物ユニット（１１、１２、１３）に設けた扉ユニット４３の位置を調整し、各種のスイッチやセンサやケーブル等を昇降路２７や扉ユニット４３に設け、カゴユニット４１と昇降ユニット４２と扉ユニット４３とをそれぞれケーブル等を介して制御機構に接続する。これにより、昇降ユニット４２は、油圧装置５４からの油圧が油圧ジャッキ５３に導入されることで、支持枠５２を介して、カゴユニット４１を昇降路２７内で適宜昇降させることができる。このため、エレベータ装置４０は、カゴユニット４１のカゴ部４５や扉ユニット４３の扉枠部６２に設けられた操作パネルへの操作に応じて、制御機構が各ユニット（２１、２２、２３）を連動させることで、人や荷物等をカゴユニット４１に載せて所望の階まで運ぶことができる。
【００４７】
ここで、従来のエレベータ装置の搬送方法の問題点について説明する。従来の搬送方法では、工場において、形成された各建物ユニットの各昇降路に一対のガイドレールを取り付け、２階建物ユニットの昇降路の一対のガイドレールに支持枠を取り付け、組み立てたカゴユニットを支持枠に仮固定している。このとき、従来の搬送方法では、支持枠の設置枠部における縦枠部から離れた位置と、そこに近接する下側開口（その床大梁や床小梁等）と、を仮支持プレートで仮固定することで、カゴユニットを載せた設置枠部が搬送時の振動等の影響に耐え得るものとしている。そして、従来の搬送方法は、その各建物ユニットを工場から建築現場に搬送することで、エレベータ装置を建築現場に搬送している。そのエレベータ装置は、建築現場において、各建物ユニットが組付けられた後、その各昇降路の一対のガイドレールが互いに連結されることとなる。ところが、支持枠に仮固定されたカゴユニットは、ガイドレールを連結する作業の邪魔となる。このため、そのカゴユニットは、ガイドレールを連結する作業の際に、一度解体されて、一対のガイドレールの連結後に再び建築現場で組み立てられることがある。
【００４８】
これに対し、本開示のエレベータ装置の搬送方法は、従来技術と同様に、工場において、エレベータ装置４０のうち、各建物ユニット（１１、１２、１３）の各昇降路２７に一対のガイドレール５１を取り付けるとともに、２階建物ユニット１２の昇降路２７の一対のガイドレール５１に支持枠５２を取り付けている。そして、エレベータ装置の搬送方法は、従来技術とは異なり、工場において、カゴユニット４１を組み立てることなく梱包状態の構成部材７１を支持枠５２に固定し、その各建物ユニット（１１、１２、１３）を工場から建築現場に搬送することで、エレベータ装置４０を建築現場に搬送する。
【００４９】
このため、エレベータ装置の搬送方法は、建築現場に搬送された状態において、組み立てられたカゴユニット４１が支持枠５２に載せられていないので、各建物ユニット（１１、１２、１３）を組付けると、その各昇降路２７の一対のガイドレール５１を円滑に互いに連結することができる。また、エレベータ装置の搬送方法は、従来の搬送方法と比較して、工場でのカゴユニット４１の組み立て作業と、建築現場でのカゴユニット４１の解体作業およびカゴユニット４１の再度の組み立て作業と、を行わせることがないので、エレベータ装置４０の設置のための全体としての工数を減らすことができる。さらに、エレベータ装置の搬送方法は、梱包状態の構成部材７１を設置枠部５７の上に載せつつ縦枠部５６に立て掛けた状態で、一対のガイドレール５１およびその間の縦枠部５６とともに梱包状態の構成部材７１に複数の工場帯部材７４を巻き掛けることで、梱包状態の構成部材７１を支持枠５２に固定している。このため、エレベータ装置の搬送方法は、従来技術のように設置枠部の全体にカゴユニットの荷重が掛かることとは異なり、設置枠部５７における縦枠部５６側に荷重を掛けさせることができるので、従来技術のように設置枠部５７を仮支持プレートで仮固定しなくても搬送時の振動等に耐えることができる。
【００５０】
ここで、従来の搬送方法は、２階建物ユニットの昇降路において一対のガイドレールに取り付けられた支持枠にカゴユニットを仮固定しているので、昇降路の上側開口にカゴユニットの上面が位置されるとともに昇降路の下側開口にカゴユニットの底面が位置されて、カゴユニットが昇降路を塞いでいる。このため、従来の搬送方法は、搬送時および建築現場での作業時に、２階建物ユニットの昇降路に進入することを防止しており、その昇降路の上側開口からの２階建物ユニット（その昇降路）内への落下と、その昇降路の下側開口からの１階建物ユニット（その昇降路）内への落下と、を防止している。
【００５１】
これに対し、本開示のエレベータ装置の搬送方法は、組み立てたカゴユニット４１を支持枠５２に載せていないので、２階建物ユニット１２の昇降路２７が塞がれていない。このため、本開示のエレベータ装置の搬送方法は、昇降取付工程により各隙間が板部材５９により塞がれた設置枠部５７を有する支持枠５２を一対のガイドレール５１に取り付けるとともに、足場設置工程により昇降路２７の上側開口２６に対して架け渡して吹抜足場３１を設置している。これにより、本開示のエレベータ装置の搬送方法は、搬送時および建築現場での作業時に、２階建物ユニット１２の昇降路２７に進入することは可能としつつ、昇降路２７の上側開口２６からの２階建物ユニット１２（その昇降路２７）内への落下と、その昇降路２７の下側開口２３からの１階建物ユニット１１（その昇降路２７）内への落下と、を防止している。
【００５２】
本開示に係るエレベータ装置の設置方法の一実施例のエレベータ装置の設置方法は、以下の各作用効果を得ることができる。
【００５３】
エレベータ装置の搬送方法は、工場において、建物ユニット（２階建物ユニット１２）の昇降路２７にガイドレール５１および支持枠５２を取り付ける昇降取付工程と、カゴユニット４１を構成する構成部材７１を梱包状態で支持枠５２に固定する固定工程と、昇降路２７において支持枠５２に構成部材７１が固定された建物ユニットを工場から建築現場に搬送する搬送工程と、を行う。このため、エレベータ装置の搬送方法は、建築現場に搬送された建物ユニットにおいて、組み立てられたカゴユニット４１が支持枠５２に載せられていないので、各建物ユニット（１１、１２、１３）が組付けられると、その各昇降路２７の一対のガイドレール５１を円滑に互いに連結することができる。
【００５４】
また、エレベータ装置の搬送方法は、搬送工程を行う前に、工場において、建物ユニット（２階建物ユニット１２）における昇降路２７の上側の上側開口２６に対して架け渡して吹抜足場３１を設置する足場設置工程を行う。このため、エレベータ装置の搬送方法は、搬送時および建築現場での作業時に、２階建物ユニット１２の昇降路２７の上側開口２６から建物ユニット（その昇降路２７）内へと作業者等が落下することを防止できる。
【００５５】
さらに、エレベータ装置の搬送方法は、固定工程では、梱包状態の構成部材７１を、上面５７ａに板部材５９が取り付けられて隙間が塞がれた設置枠部５７の上に載せつつ縦枠部５６に立て掛けた状態で縦枠部５６に固定する。このため、エレベータ装置の搬送方法は、搬送時および建築現場での作業時に、建物ユニットの昇降路２７に進入することは可能としつつ、昇降路２７の下側開口２３から下方の建物ユニット（その昇降路２７）内へと作業者等が落下することを防止できる。
【００５６】
エレベータ装置の設置方法は、建築現場において、上記したエレベータ装置の搬送方法により搬送されて上下に組付けられた複数の建物ユニット（１１、１２、１３）における上下に連続された昇降路２７のそれぞれのガイドレール５１を互いに連結する連結工程と、支持枠５２に固定された梱包状態の構成部材７１からカゴユニット４１を組み立てる組立工程と、カゴユニット４１を支持枠５２に載せて取り付けるカゴ取付工程と、を行う。このため、エレベータ装置の設置方法は、搬送された建物ユニット（２階建物ユニット１２）を組付けると、カゴユニット４１の解体作業を行わなくても、各昇降路２７の一対のガイドレール５１を円滑に互いに連結することができる。
【００５７】
エレベータ装置の設置方法は、連結工程を行った後に、建築現場において、吹抜足場３１を上側開口２６から取り外す足場取外工程を行う。このため、エレベータ装置の設置方法は、組み立てられたカゴユニット４１が邪魔する虞のある連結工程が終了しているので、足場取外工程を行うことで、カゴユニット４１を支持枠５２に取り付けるカゴ取付工程に移行させることができる。
【００５８】
エレベータ装置の設置方法は、連結工程を行った後に、建築現場において、板部材５９を設置枠部５７のから取り外す板部材取外工程を行う。このため、エレベータ装置の設置方法は、組み立てられたカゴユニット４１が邪魔する虞のある連結工程が終了しているので、板部材取外工程を行うことで、カゴユニット４１を支持枠５２に取り付けるカゴ取付工程に移行させることができる。
【００５９】
したがって、本開示に係るエレベータ装置の搬送方法としての実施例１のエレベータ装置の搬送方法は、建築現場でのガイドレール５１の連結作業の邪魔となることなく、エレベータ装置４０を建築現場に効率良く搬送することができる。
【００６０】
以上、本開示のエレベータ装置の設置方法を実施例１に基づき説明してきたが、具体的な構成については実施例１に限られるものではなく、特許請求の範囲の各請求項に係る発明の要旨を逸脱しない限り、設計の変更や追加等は許容される。
【００６１】
例えば、実施例１では、適用する建物として１階建物ユニット１１と２階建物ユニット１２と３階建物ユニット１３とで構成されたユニット建物１０を例示している。しかしながら、適用する建物は、エレベータ装置４０を設ける昇降路２７が鉛直方向に延びて設けられていれば、２つの建物ユニット（昇降路２７）を鉛直方向に重ねたものでもよく、４つ以上の建物ユニット（昇降路２７）を鉛直方向に重ねたものでもよく、他の構成の建物でもよく、実施例１の構成に限定されない。
【００６２】
また、実施例１では、昇降ユニット４２においてカゴユニット４１が載せられた支持枠５２を上下駆動するための駆動手段として油圧ジャッキ５３を用いる例を示したが、他の例でもよく、実施例１の構成に限定されない。この他の例としては、ワイヤでカゴユニットを吊り下げて上下するものがあり、この場合、ワイヤを巻き取って駆動するための駆動手段を最下階の建物ユニットに取付けるものがある。このワイヤにより吊り下げるものは、最上階の建物ユニットにワイヤ吊り下げるための滑車を取付け、ワイヤの一端部をかごに固定し、滑車に掛けたワイヤの他端を最下階の建物ユニットに設ける駆動手段に取付けることで構成できる。
【符号の説明】
【００６３】
１０  ユニット建物      １１、１２、１３  建物ユニット      ２６  上側開口      ２７  昇降路      ３１  吹抜足場      ４１  カゴユニット      ４４  積載空間      ５１  ガイドレール      ５２  支持枠      ５６  縦枠部      ５７  設置枠部      ５７ａ  上面      ５９  板部材      ７１  構成部材
【図１】
2020023389.tif 000003
【図２】
2020023389.tif 000004
【図３】
2020023389.tif 000005
【図４】
2020023389.tif 000006
【図５】
2020023389.tif 000007
【図６】
2020023389.tif 000008
【図７】
2020023389.tif 000009
【図８】
2020023389.tif 000010
【図９】
2020023389.tif 000011
【図１０】
2020023389.tif 000012
【図１１】
2020023389.tif 000013
【図１２】
2020023389.tif 000014
【図１３】
2020023389.tif 000015